(57)【要約】      （修正有）【課題】ユーザの電子カードの利用の利便性を向上するウェアラブルデバイス、腕時計及び近距離通信の切り替え方法を提供する。【解決手段】ウェアラブルデバイスは、近距離通信信号を伝送及び／又は受信するためのアンテナ１２と、アンテナにカップリングされ、ユーザのセキュリティデータを処理するための複数のセキュリティチップ１４１、１４２を含むセキュリティチップ群１４と、セキュリティチップ群とアンテナとの間に設置され、ユーザの操作に応じて、複数のセキュリティチップのうちの１つのセキュリティチップをイネーブルすることで、イネーブルされた１つのセキュリティチップがアンテナによって近距離通信信号を伝送及び／又は受信するコントローラと、を含む。【選択図】図１
2019164741.tif 000002
【特許請求の範囲】
【請求項１】
ウェアラブルデバイスであって、
近距離通信信号（ｓｈｏｒｔ  ｄｉｓｔａｎｃｅ  ｃｏｍｍｕｎｉｃａｔｉｏｎ  ｓｉｇｎａｌ）を伝送及び／又は受信するためのアンテナと、
前記アンテナにカップリングされ、ユーザのセキュリティデータを処理するための複数のセキュリティチップを含むセキュリティチップ群と、
前記セキュリティチップ群と前記アンテナとの間に設置され、ユーザの操作に応じて前記セキュリティチップ群における複数の前記セキュリティチップのうちの１つのセキュリティチップをイネーブル（ｅｎａｂｌｅ）することで、イネーブルされた前記１つのセキュリティチップが前記アンテナによって前記近距離通信信号を伝送及び／又は受信するコントローラと、を含むことを特徴とするウェアラブルデバイス。
【請求項２】
前記コントローラは、複数の前記セキュリティチップのうちの１つのセキュリティチップをイネーブルするとともに、複数の前記セキュリティチップのうちの他の全てのセキュリティチップをディスエーブル（ｄｉｓａｂｌｅ）することを特徴とする請求項１に記載のウェアラブルデバイス。
【請求項３】
前記コントローラは、複数の前記セキュリティチップのうちの１つのセキュリティチップと前記アンテナとの接続パスを確立するとともに、複数の前記セキュリティチップのうちの他の全てのセキュリティチップと前記アンテナとの接続パスを切断することで、前記セキュリティチップをイネーブルするとともに他のセキュリティチップをディスエーブルすることを特徴とする請求項２に記載のウェアラブルデバイス。
【請求項４】
前記コントローラは、複数の前記セキュリティチップのうちの１つのセキュリティチップを所定時間内イネーブルすることを特徴とする請求項１に記載のウェアラブルデバイス。
【請求項５】
前記セキュリティチップ群は、２つ以上のセキュリティチップを含むことを特徴とする請求項１に記載のウェアラブルデバイス。
【請求項６】
近距離通信信号は、無線周波数識別（ｒａｄｉｏ  ｆｒｅｑｕｅｎｃｙ  ｉｄｅｎｔｉｆｉｃａｔｉｏｎ，ＲＦＩＤ）及び／又は近距離通信（ｎｅａｒ  ｆｉｅｌｄ  ｃｏｍｍｕｎｉｃａｔｉｏｎ，ＮＦＣ）の通信規格を満たすことを特徴とする請求項１に記載のウェアラブルデバイス。
【請求項７】
前記コントローラにカップリングされる押しボタン又はノブをさらに含み、
前記コントローラは、前記押しボタン又は前記ノブにより前記ユーザの操作を受け付けて、そのうちの１つのセキュリティチップをイネーブルすることを特徴とする請求項１に記載のウェアラブルデバイス。
【請求項８】
前記コントローラにカップリングされるタッチパネルをさらに含み、
前記コントローラは、前記タッチパネルにより前記ユーザの操作を受け付けて、そのうちの１つのセキュリティチップをイネーブルすることを特徴とする請求項１に記載のウェアラブルデバイス。
【請求項９】
前記コントローラにカップリングされ、ユーザのジェスチャーを検出して検知信号を生成するための姿勢センサをさらに含み、
前記コントローラは、前記検知信号を受信するとともに、前記検知信号に応じてそのうちの１つのセキュリティチップをイネーブルすることを特徴とする請求項１に記載のウェアラブルデバイス。
【請求項１０】
複数の領域に仕切られ、各領域が複数の導電線を含み、複数の前記導電線が互いに交差して複数の導電ユニットを構成する透明導電膜と、
前記コントローラにカップリングされるとともに前記透明導電膜の複数の前記領域に電気的に接続され、各領域内における複数の前記導電ユニットの相乗効果の電気信号の変化を検出して検出信号を出力するタッチセンサと、をさらに含み、
前記コントローラは、前記タッチセンサから伝送される検出信号を受信してそのうちの１つのセキュリティチップをイネーブルすることを特徴とする請求項１に記載のウェアラブルデバイス。
【請求項１１】
前記ウェアラブルデバイスは、腕時計であり、収容空間を区画するケース体を含み、
前記ケース体の一部は、透明材質の腕時計表面から形成され、
前記腕時計は、文字盤と、前記文字盤の表面上に形成される実体目盛と、前記文字盤の上方に位置する実体インジケータとをさらに含み、
前記実体インジケータは、前記実体目盛に合わせて時刻を表示することを特徴とする請求項１に記載のウェアラブルデバイス。
【請求項１２】
腕時計であって、
収容空間を区画するケース体を含み、
前記ケース体の一部は、透明材質の腕時計表面から形成され、
前記腕時計は、文字盤と、前記文字盤の表面上に形成される実体目盛と、前記文字盤の上方に位置する実体インジケータとをさらに含み、
前記実体インジケータは、前記実体目盛に合わせて時刻を表示し、
近距離通信信号（ｓｈｏｒｔ  ｄｉｓｔａｎｃｅ  ｃｏｍｍｕｎｉｃａｔｉｏｎ  ｓｉｇｎａｌ）を伝送及び／又は受信するためのアンテナと、
前記アンテナにカップリングされ、ユーザのセキュリティデータを処理するための複数のセキュリティチップを含むセキュリティチップ群と、
前記腕時計表面の表面に付着し、複数の領域に仕切られ、各領域が複数の導電線を含み、複数の前記導電線が互いに交差して複数の導電ユニットを構成する透明導電膜と、
前記収容空間内に設置され、前記透明導電膜の複数の前記領域に電気的に接続され、各領域内における複数の前記導電ユニットの相乗効果の電気信号の変化を検出して検出信号を出力するタッチセンサと、
前記収容空間内に設置され、前記タッチセンサ、前記セキュリティチップ群及び前記アンテナにカップリングされ、前記タッチセンサから伝送される検出信号を受信し、前記セキュリティチップ群における複数の前記セキュリティチップのうちの１つのセキュリティチップをイネーブル（ｅｎａｂｌｅ）することで、イネーブルされた前記１つのセキュリティチップが前記アンテナによって前記近距離通信信号を伝送及び／又は受信するコントローラと、をさらに含むことを特徴とする腕時計。
【請求項１３】
前記コントローラは、複数の前記セキュリティチップのうちの１つのセキュリティチップをイネーブルするとともに、複数の前記セキュリティチップのうちの他の全てのセキュリティチップをディスエーブル（ｄｉｓａｂｌｅ）することを特徴とする請求項１２に記載の腕時計。
【請求項１４】
前記コントローラは、複数の前記セキュリティチップのうちの１つのセキュリティチップを所定時間内イネーブルすることを特徴とする請求項１２に記載の腕時計。
【請求項１５】
近距離通信の切り替え方法であって、
アンテナによって電磁波信号を伝送及び／又は受信して近距離通信（ｓｈｏｒｔ  ｄｉｓｔａｎｃｅ  ｃｏｍｍｕｎｉｃａｔｉｏｎ）を実現する工程と、
ウェアラブルデバイス内に設置されるセキュリティチップ群のうちの１つのセキュリティチップをイネーブル（ｅｎａｂｌｅ）することで、イネーブルされた前記１つのセキュリティチップが前記アンテナによって前記電磁波信号を伝送及び／又は受信するとともに、前記セキュリティチップ群のうちの他の全てのセキュリティチップをディスエーブル（ｄｉｓａｂｌｅ）する工程と、を含むことを特徴とする近距離通信の切り替え方法。
【発明の詳細な説明】
【技術分野】
【０００１】
本発明は、近距離通信（ｓｈｏｒｔ  ｄｉｓｔａｎｃｅ  ｃｏｍｍｕｎｉｃａｔｉｏｎ）技術に関し、特にウェアラブルデバイス、腕時計及び近距離通信の切り替え方法に関する。
【背景技術】
【０００２】
現在、近距離通信（ｓｈｏｒｔ  ｄｉｓｔａｎｃｅ  ｃｏｍｍｕｎｉｃａｔｉｏｎ）は、様々な場合に幅広く適用されている。一般的な近距離通信技術としては、例えば、無線周波数識別（ｒａｄｉｏ  ｆｒｅｑｕｅｎｃｙ  ｉｄｅｎｔｉｆｉｃａｔｉｏｎ，ＲＦＩＤ）技術／近距離通信（ｎｅａｒ  ｆｉｅｌｄ  ｃｏｍｍｕｎｉｃａｔｉｏｎ，ＮＦＣ）技術がある。ＲＦＩＤ／ＮＦＣ通信規格を有する物理的な電子カード又は仮想的な電子カード、例えば、交通機関カード、入室カード及びプリペイドカードなどは、人々の日常生活においても幅広く使用されている。
【０００３】
電子カードの利用者は、種々の異なる物理的なカードを携帯しなければならない。現在、カードを仮想化してスマートフォンに統合する技術があっても、多くの物理的な電子カードは仮想化環境をサポートしないか、又はサポートできない。このため、利用者は、これらの物理的なカードを携帯しなければならず、利用上の不便さが増す。したがって、この問題に対して、新たな解決法を提案する必要がある。
【発明の概要】
【発明が解決しようとする課題】
【０００４】
本発明は、ユーザの電子カードの利用の利便性を向上可能なウェアラブルデバイス、腕時計及び近距離通信の切り替え方法を提供する。
【課題を解決するための手段】
【０００５】
本発明は、ウェアラブルデバイスを提供する。当該ウェアラブルデバイスは、近距離通信信号を伝送及び／又は受信するためのアンテナと、前記アンテナにカップリングされ、ユーザのセキュリティデータを処理するための複数のセキュリティチップを含むセキュリティチップ群と、前記セキュリティチップ群と前記アンテナとの間に設置され、ユーザの操作に応じて前記セキュリティチップ群における複数の前記セキュリティチップのうちの１つのセキュリティチップをイネーブルすることで、イネーブルされた前記１つのセキュリティチップが前記アンテナによって前記近距離通信信号を伝送及び／又は受信するコントローラと、を含む。
【０００６】
また、本発明は、腕時計をさらに提供する。当該腕時計は、収容空間を区画するケース体を含む。前記ケース体の一部は、透明材質の腕時計表面から形成される。前記腕時計は、文字盤と、前記文字盤の表面上に形成される実体目盛と、前記文字盤の上方に位置する実体インジケータとをさらに含む。前記実体インジケータは、前記実体目盛に合わせて時刻を表示する。前記腕時計は、近距離通信信号を伝送及び／又は受信するためのアンテナと、前記アンテナにカップリングされ、ユーザのセキュリティデータを処理するための複数のセキュリティチップを含むセキュリティチップ群と、前記腕時計表面の表面に付着し、複数の領域に仕切られ、各領域が複数の導電線を含み、複数の前記導電線が互いに交差して複数の導電ユニットを構成する透明導電膜と、前記収容空間内に設置され、前記透明導電膜の複数の前記領域に電気的に接続され、各領域内における複数の前記導電ユニットの相乗効果の電気信号の変化を検出して検出信号を出力するタッチセンサと、前記収容空間内に設置され、前記タッチセンサ、前記セキュリティチップ群及び前記アンテナにカップリングされ、前記タッチセンサから伝送される検出信号を受信し、前記セキュリティチップ群における複数の前記セキュリティチップのうちの１つのセキュリティチップをイネーブルすることで、イネーブルされた前記１つのセキュリティチップが前記アンテナによって前記近距離通信信号を伝送及び／又は受信するコントローラと、をさらに含む。
【０００７】
また、本発明は、近距離通信の切り替え方法をさらに提供する。当該近距離通信の切り替え方法は、アンテナによって電磁波信号を伝送及び／又は受信して近距離通信を実現する工程と、ウェアラブルデバイス内に設置されるセキュリティチップ群のうちの１つのセキュリティチップをイネーブルすることで、イネーブルされた前記１つのセキュリティチップが前記アンテナによって前記電磁波信号を伝送及び／又は受信するとともに、前記セキュリティチップ群のうちの他の全てのセキュリティチップをディスエーブルする工程と、を含む。
【発明の効果】
【０００８】
本発明に係るウェアラブルデバイス内に２つ以上の近距離通信チップ（例えば、ＲＦＩＤ／ＮＦＣ通信規格を採用する）が設置されるため、ユーザは２つ以上の近距離通信チップから１つを選択して外部装置と近距離通信を行うことで、ユーザの電子カードの利用の利便性を向上させる。
【図面の簡単な説明】
【０００９】
【図１】本発明に係るウェアラブルデバイスを示す図である。
【図２】本発明の第１実施形態に係るウェアラブルデバイスを示す図である。
【図３】本発明の第２実施形態に係るウェアラブルデバイスを示す図である。
【図４】本発明の第３実施形態に係るウェアラブルデバイスを示す図である。
【図５】本発明の第４実施形態に係るウェアラブルデバイスを示す図である。
【図６】本発明の透明導電膜を示す図である。
【図７】本発明に係る腕時計を示す図である。
【図８】本発明に係る近距離通信の切り替え方法を示すフローチャートである。
【発明を実施するための形態】
【００１０】
以下、本発明の目的、技術案及び効果をより明瞭、明確にするために、図面を参照しながら、本発明の実施形態ついて詳しく説明する。ここで説明される具体的な実施形態は本発明を説明するためのものであり、本発明における「実施形態」という用語は、実施例、表示例又は例示したものを意味しているが、本発明を限定するものではないことを理解されたい。また、本発明の明細書及び特許請求の範囲における「一」という用語は、他に特に指定された場合及び前後の文脈から明らかに単数形だと分かる場合以外、一般的に「１つ又は複数」を意味している。
【００１１】
本発明は、ウェアラブルデバイス（ｗｅａｒａｂｌｅ  ｄｅｖｉｃｅ）を提供する。当該ウェアラブルデバイスは、近距離通信（ｓｈｏｒｔ  ｄｉｓｔａｎｃｅ  ｃｏｍｍｕｎｉｃａｔｉｏｎ）に用いる複数のセキュリティチップを含む。前記近距離通信は、無線周波数識別（ｒａｄｉｏ  ｆｒｅｑｕｅｎｃｙ  ｉｄｅｎｔｉｆｉｃａｔｉｏｎ，ＲＦＩＤ）／近距離通信（ｎｅａｒ  ｆｉｅｌｄ  ｃｏｍｍｕｎｉｃａｔｉｏｎ，ＮＦＣ）を含むが、これらに限定されない。ユーザは、場合によってそのうちの１つのセキュリティチップを切り替えて使用可能であり、すなわち、そのうちの１つの電子カードを用いて近距離通信を行うことで、ユーザの利便性を向上させる。
【００１２】
例えば、近距離通信機能を有する交通機関カード及び入室カードをウェアラブルデバイスに同時に装入し、ユーザは、通勤時に交通機関カードのセキュリティチップを用いてセキュリティ認証を行い、一方、帰宅時に入室カードを用いることができる。ウェアラブルデバイスには、電子決済機能を有するカードが統合されてもよい。電子カードの種類については、特に限定されず、近距離通信機能を有すれば、本発明の保護を求める範囲内にある。
【００１３】
以下、ウェアラブルデバイスが２つのセキュリティチップを有する場合を例示して説明を行う。ウェアラブルデバイスは２つ以上のセキュリティチップを有してもよいことを理解されたい。
【００１４】
図１は、本発明に係るウェアラブルデバイスを示す図である。本発明に係るウェアラブルデバイスは、アンテナ１２と、第１セキュリティチップ１４１及び第２セキュリティチップ１４２を有するセキュリティチップ群１４と、コントローラ１６とを含む。アンテナ１２は、ウェアラブルデバイスの外ケース（図示せず）の外面に設置されてもよい。セキュリティチップ群１４及びコントローラ１６は、ウェアラブルデバイスの外ケース内に設置される。セキュリティチップ群１４は、アンテナ１２にカップリングされる。コントローラ１６は、セキュリティチップ群１４とアンテナ１２との間に設置される。好ましくは、コントローラ１６は、セキュリティチップ群１４とアンテナ１２との間にカップリングされる。
【００１５】
アンテナ１２は、電磁波信号（すなわち、近距離通信信号）を伝送及び／又は受信する。具体的には、セキュリティチップ群１４のうちの１つのセキュリティチップが信号を外部装置（例えば、カードリーダ）に伝送する場合には、時間の経過に伴って変化する電流をアンテナ１２に流すことで電磁波信号を生成する。又は、外部装置がセキュリティチップ群１４のうちの１つのセキュリティチップに信号を伝送する場合、アンテナ１２は外部の電磁波信号によって、時間の経過に伴って変化する電流を生成し、これにより、前記セキュリティチップが外部装置から伝送される信号を受信可能である。すなわち、ウェアラブルデバイスは、アンテナ１２によって電磁波信号を伝達することで、外部装置と通信する。
【００１６】
セキュリティチップ群１４のセキュリティチップは、ユーザのセキュリティデータを処理するためのものである。具体的には、第１セキュリティチップ１４１及び第２セキュリティチップ１４２は、いずれもユーザのセキュリティデータを処理するためのものである。第１セキュリティチップ１４１及び第２セキュリティチップ１４２は、種類の異なる電子カード、例えば、交通機関カード及び入室カードのセキュリティチップであってもよいし、同一の電子カードの種類に属して２つのカード実体、例えば、２枚のプリペイドカードのセキュリティチップであってもよい。
【００１７】
コントローラ１６は、ユーザの操作に応じて第１セキュリティチップ１４１及び第２セキュリティチップ１４２のうちの一方をイネーブル（ｅｎａｂｌｅ）することで、イネーブルされたセキュリティチップがアンテナ１２によって電磁波信号又は近距離通信信号を伝送及び／又は受信する。具体的には、コントローラ１６は、セキュリティチップ群１４のうちの１つのセキュリティチップをイネーブルするとともに、セキュリティチップ群１４の他のセキュリティチップをディスエーブル（ｄｉｓａｂｌｅ）することが可能である。例えば、仮にセキュリティチップ群１４が第１セキュリティチップ１４１、第２セキュリティチップ１４２及び第３セキュリティチップ（図示せず）を含む場合、コントローラ１６は第１セキュリティチップ１４１をイネーブルするとともに、第２セキュリティチップ１４２及び第３セキュリティチップを含む他のセキュリティチップをディスエーブルすることが可能である。
【００１８】
すなわち、ユーザがウェアラブルデバイス内に設置される１つの電子カード（１つのセキュリティチップに対応する）を使用する場合、ユーザの操作により、コントローラ１６はそのうちの１つのセキュリティチップを選択してアンテナ１２によって近距離通信信号を伝送／受信することで、他のセキュリティチップをディスエーブル状態にさせる。その結果、ユーザは、一回で１つの電子カードを使用し、信号干渉や他の安全性の問題を回避する。
【００１９】
さらに、コントローラ１６は、第１セキュリティチップ１４１及び第２セキュリティチップ１４２のうちの一方を所定時間内イネーブルする。例えば、ユーザは、そのうちの１つの電子カードを使用する場合、一定期間（例えば、１０秒）が経つと、使用される前記電子カードをディスエーブルする。こうすることで、安全性を向上させ、スキミングを防止するほか、電力消費を減らすこともできる。
【００２０】
具体的には、コントローラ１６は、そのうちの１つのセキュリティチップとアンテナ１２との接続パスを確立するとともに他のチップとアンテナ１２との接続パスを切断することで、前記セキュリティチップをイネーブルするとともに他のセキュリティチップをディスエーブルする。例えば、コントローラ１６は、第１セキュリティチップ１４１とアンテナ１２との接続パスを確立するとともに第２セキュリティチップ１４２とアンテナ１２との接続パスを切断する。一方、コントローラ１６は、電源をセキュリティチップに接続させて前記セキュリティチップをイネーブルし、電源とセキュリティチップとの接続を切断させて前記セキュリティチップをディスエーブルしてもよい。
【００２１】
本発明に係るウェアラブルデバイス内に２つ以上の近距離通信チップ（例えば、ＲＦＩＤ／ＮＦＣ通信規格を採用する）が設置されるため、ユーザは２つ以上の近距離通信チップから１つを選択して外部装置と近距離通信を行うことで、ユーザの電子カードの利用の利便性を向上させる。
【００２２】
図２は、本発明の第１実施形態に係るウェアラブルデバイスを示す図である。第１実施形態では、ウェアラブルデバイスは、コントローラ１６にカップリングされる押しボタン又はノブ２０をさらに含む。押しボタン又はノブ２０は、ウェアラブルデバイスの外面に設置されてもよい。コントローラ１６は、押しボタン又はノブ２０によってユーザの操作を受け付けて、そのうちの１つのセキュリティチップをイネーブルする。すなわち、ユーザは、押しボタン又はノブ２０によって複数のセキュリティチップから１つを選択して近距離通信を行う。
【００２３】
図３は、本発明の第２実施形態に係るウェアラブルデバイスを示す図である。第２実施形態では、ウェアラブルデバイスは、コントローラ１６にカップリングされるタッチパネル３０をさらに含む。コントローラ１６は、タッチパネル３０によりユーザの操作を受け付けて、そのうちの１つのセキュリティチップをイネーブルする。すなわち、ユーザは、タッチパネル３０を操作することにより、そのうちの１つのセキュリティチップを選択して近距離通信を行う。タッチパネル３０は、表示パネル（図示せず）に合わせてタッチスクリーンを形成する。ウェアラブルデバイスは、前記タッチスクリーンを有するスマートウォッチ（ｓｍａｒｔｗａｔｃｈ）であってもよい。
【００２４】
図４は、本発明の第３実施形態に係るウェアラブルデバイスを示す図である。第３実施形態では、ウェアラブルデバイスは、コントローラ１６にカップリングされる姿勢センサ４０をさらに含む。姿勢センサ４０は、ウェアラブルデバイスの外ケース内に設置されてもよい。姿勢センサ４０は、ユーザのジェスチャーや姿勢、動作を検出して検知信号を生成する。コントローラ１６は、前記検知信号を受信するとともに、前記検知信号に応じてそのうちの１つのセキュリティチップをイネーブルする。すなわち、ユーザはウェアラブルデバイスを着用する場合、姿勢センサ４０が識別可能な姿勢をとることでそのうちの１つのセキュリティチップをイネーブルする。例えば、ユーザは、回動動作を一回で行った場合、第１セキュリティチップ１４１をイネーブルするとともに第２セキュリティチップ１４２をディスエーブルし、一方、回動動作を二回で行った場合、第１セキュリティチップ１４１をディスエーブルするとともに第２セキュリティチップ１４２をイネーブルする。
【００２５】
図５は、本発明の第４実施形態に係るウェアラブルデバイスを示す図である。第４実施形態では、ウェアラブルデバイスは、透明導電膜５０及びタッチセンサ５２をさらに含む。透明導電膜５０は、タッチセンサ５２に電気的に接続される。タッチセンサ５２は、コントローラ１６にカップリングされる。透明導電膜５０は、ウェアラブルデバイスの外面に設置される。タッチセンサ５２は、ウェアラブルデバイスの外ケース内に設置される。透明導電膜５０及びタッチセンサ５２は、入力装置としてユーザからの入力を受け付けて、セキュリティチップの切り替え機能を実現する。
【００２６】
図６は、本発明の透明導電膜を示す図である。図６に示すように、透明導電膜５０は、メッシュ状の導電膜であり、実際に極細の金属線からなるメッシュ状に形成される。透明導電膜５０は、複数の領域に仕切られる。複数の前記領域は、互いに電気的に切り離される。図６では、２つの領域（すなわち、第１領域５１１及び第２領域５１２）を例示する場合、透明導電膜５０は互いに電気的に切り離される２つ以上の領域に仕切られてもよいことを理解されたい。各領域は、複数の導電線５０１を含む。これらの導電線５０１は、互いに交差して複数の導電ユニット５０２を構成する。各領域における全ての導電ユニット５０２の相乗効果の電気信号（例えば、電圧信号又は電流信号）の変化は、それにタッチ又は接近動作を行うことによって発生する。例えば、ユーザが指で１つの領域をタッチすると、前記領域において電荷が変化し、各領域の電荷の変化を検出することで、ユーザが指でどの領域をタッチしたかを把握することができる。タッチセンサ５２は、透明導電膜５０の複数の前記領域に電気的に接続される。具体的には、透明導電膜５０の各領域は、１つの伝送線を介してタッチセンサ５２に接続される。タッチセンサ５２は、複数の前記領域の電荷変化をそれぞれ検出可能であるため、どの領域がタッチされたかを判断する。タッチセンサ５２は、各領域内における複数の前記導電ユニット５０２の相乗効果の電気信号の変化を検出して検出信号を出力する。コントローラ１６は、タッチセンサ５２から伝送される検出信号を受信することで、そのうちの１つのセキュリティチップをイネーブルするとともに、他のセキュリティチップをディスエーブルする。
【００２７】
例えば、第１セキュリティチップ１４１は、第１領域５１１に対応し、第２セキュリティチップ１４２は、第２領域５１２に対応する。ユーザは、第１領域５１１をクリックした場合に第１セキュリティチップ１４１をイネーブルし、一方、第２領域５１２をクリックした場合に第２セキュリティチップ１４２をイネーブルする。また、例えば、ユーザは、指で第１領域５１１から第２領域５１２にスライドした場合、第１セキュリティチップ１４１をイネーブルするとともに第２セキュリティチップ１４２をディスエーブルし、一方、指で第２領域５１２から第１領域５１１にスライドした場合、第２セキュリティチップ１４２をイネーブルするとともに第１セキュリティチップ１４１をディスエーブルする。
【００２８】
透明導電膜５０によってユーザの操作を検出する上記技術が、従来のタッチパネルによってタッチ操作を検出する技術及び従来の表示パネルにおいて画像電極を設置して画像を表示する技術と異なることは、当業者にとって理解されるところである。
【００２９】
図７は、本発明に係る腕時計を示す図である。本発明のウェアラブルデバイスは、腕時計であってもよい。図７に示すように、腕時計は、ケース体を含む。ケース体は、腕時計表面７１及び外カバー７２を含む。腕時計表面７１は、透明材質（例えば、ガラス）から製造され、前記ケース体の一部として形成される。腕時計表面７１及び外カバー７２により、収容空間が区画、形成される。腕時計は、前記収容空間内に設置される文字盤７３と、複数の実体目盛７４と、複数の実体インジケータ７５とをさらに含む。実体目盛（例えば、時目盛）７４は、文字盤７３の表面上に形成される。実体インジケータ（例えば、時針、分針及び秒針）７５は、文字盤７３の上方に位置する。実体インジケータ７５は、実体目盛７４に合わせて時刻を表示する。ユーザは、透明の腕時計表面７１を通して実体インジケータ７５で示す目盛位置（すなわち、時間情報）を見ることができる。
【００３０】
一実施形態では、透明導電膜５０を腕時計表面７１の表面（例えば、内側面）上に付着させ、腕時計上の、信号を干渉しない適切な位置にアンテナ１２を設置し、タッチセンサ５２と、コントローラ１６と、２つ以上のセキュリティチップを有するセキュリティチップ群１４とを腕時計の収容空間に収容する。こうすることで、従来の腕時計において、近距離通信チップの切り替え機能を実現することができる。
【００３１】
図８は、本発明に係る近距離通信の切り替え方法を示すフローチャートである。上記の説明に合わせて、図８を参照すると、前記方法は以下のステップを含む。
【００３２】
ステップＳ８２：アンテナ１２によって電磁波信号を伝送及び／又は受信して近距離通信を実現する。
【００３３】
図１に示すように、ウェアラブルデバイス内には、ＲＦＩＤ／ＮＦＣ規格の近距離通信信号を伝送及び／又は受信可能なアンテナ１２が設置される。
【００３４】
ステップＳ８４：ウェアラブルデバイス内に設置されるセキュリティチップ群１４のうちの１つのセキュリティチップをイネーブルすることで、イネーブルされた１つのセキュリティチップが前記アンテナ１２によって前記電磁波信号を伝送及び／又は受信するとともに、前記セキュリティチップ群１４のうちの他の全てのセキュリティチップをディスエーブルする。
【００３５】
図１に示すように、ウェアラブルデバイス内には、アンテナ１２にカップリングされるセキュリティチップ群１４、及び、セキュリティチップ群１４とアンテナ１２との間に設置されるコントローラ１６が設置される。セキュリティチップ群１４内には、２つ以上のセキュリティチップ（例えば、第１セキュリティチップ１４１及び第２セキュリティチップ１４２）が含まれる。コントローラ１６は、ユーザの操作に応じて、セキュリティチップ群１４のうちの１つのセキュリティチップをイネーブルするとともに、セキュリティチップ群１４のうちの他の全てのセキュリティチップをディスエーブルする。イネーブルされたセキュリティチップは、前記アンテナ１２によって近距離通信信号を伝送及び／又は受信する。
【００３６】
本発明に係る近距離通信の切り替え方法の他の詳細については、上述したウェアラブルデバイス及び腕時計についての説明を参照するため、ここではその説明を省略する。
【００３７】
本発明について上述した最良の実施形態を参照して説明したが、これは本発明を限定するものではなく、当業者であれば、本発明の精神及び範囲を逸脱しない限り、各種の変更や修飾を加えることができる。したがって、本発明の保護を求める範囲は、特許請求の範囲を基準とする。
【符号の説明】
【００３８】
１２  アンテナ
１４  セキュリティチップ群
１６  コントローラ
２０  押しボタン又はノブ
３０  タッチパネル
４０  姿勢センサ
５０  透明導電膜
５２  タッチセンサ
７１  腕時計表面
７２  外カバー
７３  文字盤
７４  実体目盛
７５  実体インジケータ
１４１  第１セキュリティチップ
１４２  第２セキュリティチップ
５０１  導電線
５０２  導電ユニット
５１１  第１領域
５１２  第２領域
Ｓ８２〜Ｓ８４ ステップ
【図１】
2019164741.tif 000003
【図２】
2019164741.tif 000004
【図３】
2019164741.tif 000005
【図４】
2019164741.tif 000006
【図５】
2019164741.tif 000007
【図６】
2019164741.tif 000008
【図７】
2019164741.tif 000009
【図８】
2019164741.tif 000010